(57)【要約】【課題】既存のキッチンキャビネットに容易に食器洗い機を後付けできる後付け方法を提供する。【解決手段】金属製の縦フレーム８と横フレームと奥行きフレーム１１を枠組みしたフレーム体を骨組みとし、奥行きフレーム１１に固設した引出しレール１２，１２に引出しを取り付けてなる既存のキッチンキャビネット１に対し、引出しを外して引出しレール１２，１２を取り外した後、引出しが設けられていた空間内に食器洗い機を取り付け、食器洗い機に対しフレーム体内の空間を通して給・排水管を配管接続する。【選択図】図２
2011135945.tif 000002
【特許請求の範囲】
【請求項１】
金属製の縦フレームと横フレームと奥行きフレームを枠組みしたフレーム体を骨組みとし、前記奥行きフレームに固設した引出しレールに引出しを取り付けてなる既存のキッチンキャビネットに対し、
前記引出しを外して前記引出しレールを取り外した後、前記引出しが設けられていた空間内に食器洗い機を取り付け、該食器洗い機に対し前記フレーム体内の空間を通して給・排水管を配管接続する
ことを特徴とするキッチンキャビネットへの食器洗い機の後付け方法。
【請求項２】
前記食器洗い機の底側に置き台を敷設することを特徴とする請求項１に記載のキッチンキャビネットへの食器洗い機の後付け方法。
【発明の詳細な説明】
【技術分野】
【０００１】
本発明は、既存のキッチンキャビネットに後付けで食器洗い機を取り付けできる食器洗い機の後付け方法に関するものである。
【背景技術】
【０００２】
従来、特許文献１に開示されているように、システムキッチンの引出しを取り外し、引出しの左右の仕切板を外して設置スペースを確保し、この設置スペースに食器洗い機を組み込む場合がある。
【先行技術文献】
【特許文献】
【０００３】
【特許文献１】特開平８−８０２２５号公報
【発明の概要】
【発明が解決しようとする課題】
【０００４】
上記特許文献１に開示されているものは、木製のパネル組みしたシステムキッチンに食器洗い機を組み込む場合であり、木製のシステムキッチンには内部に仕切板が複数存在するために、仕切板が邪魔になって、食器洗い機の給・排水管の配管が極めて困難となり、時間と手間がかかり、結局、キッチンキャビネットを取り換える必要がある場合が多かった。
【課題を解決するための手段】
【０００５】
本発明は、既存のキッチンキャビネットに容易に食器洗い機を後付けできる食器洗い機の後付け方法の提供を目的とし、この目的の少なくとも一部を達成するために以下の手段を採った。
本発明のキッチンキャビネットへの食器洗い機の後付け方法は、金属製の縦フレームと横フレームと奥行きフレームを枠組みしたフレーム体を骨組みとし、前記奥行きフレームに固設した引出しレールに引出しを取り付けてなる既存のキッチンキャビネットに対し、前記引出しを外して前記引出しレールを取り外した後、前記引出しが設けられていた空間内に食器洗い機を取り付け、該食器洗い機に対し前記フレーム体内の空間を通して給・排水管を配管接続することを要旨とする。
【発明の効果】
【０００６】
本発明では、キッチンキャビネットの骨組みは縦フレームと横フレームと奥行きフレームを枠組みしたフレーム体で構成されているため、このフレーム体の奥行きフレームに取り付けられている引出しレールを取り外して、引出しが設けられていた空間内に容易に食器洗い機を取り付け、この食器洗い機に対してフレーム体内の空間を通して給・排水管を配管接続することができ、給・排水管の配管が容易であり、食器洗い機をニーズの変化により容易に後付けすることができるものとなる。
【０００７】
また、本発明のキッチンキャビネットへの食器洗い機の後付け方法において、前記食器洗い機の底側に置き台を敷設するものとすることもできる。
こうすれば、置き台上に食器洗い機を載せて、食器洗い機の高さを既存のキッチンキャビネットに対応させて、すっきりとした状態に取り付けできるものとなる。
【図面の簡単な説明】
【０００８】
【図１】既存のキッチンキャビネットから引出しを取り外す状態の斜視構成図である。
【図２】引出しを取り外した後に引出しレールを取り外す状態のキッチンキャビネットの斜視構成図である。
【図３】引出しが設けられていた空間の底側に置き台を入れた状態のキッチンキャビネットの斜視構成図である。
【図４】置き台の斜視構成図である。
【図５】食器洗い機を取り付ける状態のキッチンキャビネットの斜視構成図である。
【図６】食器洗い機を取り付けた状態のキッチンキャビネットの斜視構成図である。
【図７】キッチンキャビネット内で食器洗い機に給・排水管を接続した状態の要部拡大透視図である。
【図８】キッチンキャビネットの骨組みを構成するフレーム体の一例を示す斜視構成図である。
【図９】図８のフレーム体を構成する縦フレームと奥行きフレームと、奥行きフレームに取り付けられる引出しレールの拡大分解斜視図である。
【図１０】食器洗い機を支持するためのＬ金具を奥行きフレームに取り付けた状態のキッチンキャビネットの斜視構成図である。
【図１１】フロートタイプのキッチンキャビネットに食器洗い機を取り付けた状態の斜視構成図である。
【図１２】フロートタイプのキッチンキャビネットの骨組みを構成するフレーム体の斜視構成図である。
【発明を実施するための形態】
【０００９】
次に、本発明を実施するための形態を実施例を用いて説明する。
図１は、既存のキッチンキャビネットを示すものであり、キッチンキャビネット１は、キャビネット本体２の上面にカウンター３が取り付けられ、このカウンター３にはシンク４が設けられている。また、キャビネット本体２には、前方側へ引き出し可能に引出し５，６が二段で設けられており、下側の引出し６の下部には、けこみ６ａが一体で設けられている。
【００１０】
このような既存のキッチンキャビネット１において、ニーズの変化により食器洗い機が欲しくなったような場合に、この既存のキッチンキャビネット１の引出し５，６を取り外して、引出し５，６が設けられていた空間内に食器洗い機を後付けすることができるものである。
概略を説明すると、図１のように引出し５，６を前方側へ引き出して取り外し、その後に図２のように、引出し５，６を支持していた引出しレール１２，１２を取り外す。
次に、図３のように、引出し５，６が設けられていた空間Ｓ内の底側に置き台１４を入れ、その後に、図５のように、置き台１４上に食器洗い機１５を前方側から差し込んでゆき、図６のように、食器洗い機１５をキャビネット本体２に一体状に後付けすることができる。
【００１１】
なお、キッチンキャビネット１のキャビネット本体２は、図８に一例を示すようなフレーム体７で骨組みが構成されている。
このフレーム体７は、アルミニウム製のフレーム８，９，１０，１１を枠組みしたものであり、水に強く、耐久性があり、寿命が長いために、このフレーム体７を利用して、ニーズの変化により食器洗い機を後付けできる。
【００１２】
フレーム体７は、横方向に間隔をおいて複数立設された前側の縦フレーム８，８，８と、縦フレーム８と対向状に背側に複数立設された背側の縦フレーム９，９，９が、それぞれ複数の横フレーム１０，１０，１０で連結され、前側の縦フレーム８と背側の縦フレーム９間には、奥行き方向に延びる複数の奥行きフレーム１１，１１，１１が連結されて、枠組み形成されたものである。
【００１３】
なお、図９は、奥行きフレーム１１と縦フレーム８と、奥行きフレーム１１に取り付けられる引出しレール１２の分解拡大図であり、縦フレーム８の前面にはカバー８ａが覆設され、奥行きフレーム１１の側面には、引出し５，６を引き出し可能に支持する引出しレール１２が取り付けられ、この引出しレール１２は、奥行きフレーム１１に形成された孔１１ａ，１１ａにそれぞれビス１３をねじ込んで取り付け固定されている。
【００１４】
引出し５，６を引き出した後に、引出しレール１２，１２を図２のように取り外す際には、ビス１３，１３．１３を緩めて、容易に引出しレール１２，１２を取り外すことができる。
引出しレール１２，１２を取り外すと、引出し５，６が設けられていた空間Ｓが出現するが、この空間Ｓの底側に、図４に斜視図で示すような置き台１４を取り付ける。この置き台１４は、けこみ１４ａを前面に有する木製の箱状体であり、上面には食器洗い機を載せることのできる載置面板１４ｂが設けられている。
【００１５】
図３のように置き台１４を空間Ｓの底側に配置した後に、図５のように、置き台１４上に食器洗い機１５を載せて、食器洗い機１５を奥側へ押し込み、図６のように、食器洗い機１５の上端をキャビネット本体２の上側の上ラインＲ１に整合させ、また、食器洗い機１５の下端をキャビネット本体２の下側の下ラインＲ２に整合させて、すっきりと隙間なく食器洗い機１５を既存のキッチンキャビネット１に後付けできるものである。
即ち、置き台１４を食器洗い機１５の底側に敷設することで、食器洗い機１５の高さをキャビネット本体２のラインＲ１，Ｒ２に整合させることができるものである。
【００１６】
なお、食器洗い機１５の裏側底面等には、排水ホース２１と給水ホース２４が設けられており、これらの排水ホース２１，給水ホース２４は、図７に要部概略透視図で示すように、フレーム体７の空間内を通して横方向に引き回して既存の排水管２０および既存の給水管２２に接続することができる。
【００１７】
なお、図７において、キッチンキャビネット１のシンク４には水栓１８が設けられているが、この水栓１８用の給水管２２および給湯管２３がキャビネット本体２内に立設されており、また、シンク４の底側の排水口の下方には、ダスターポット１９と、その下方に連続して排水管２０が立設されているため、この既存の排水管２０に例えばＴ字状の分岐管継手２０ａを取り付け、この分岐管継手２０ａに食器洗い機１５から延びる排水ホース２１の先端を接続することができ、また、給水管２２にも分岐管継手２２ａを取り付けて、この分岐管継手２２ａに食器洗い機１５から延びる給水ホース２４の先端を接続することができる。
【００１８】
このように排水ホース２１および給水ホース２４の配管を容易に行うことができるものであり、従来の面材で仕切られたキッチンキャビネットでは面材を取り外さなければならなかったのが、本例ではフレーム体７の空間内に良好に排水ホース２１，給水ホース２４を引き回して短時間で配管が可能となる。
【００１９】
次に、図１０では食器洗い機１５の後付け構造の別例を示す。
図１０では、略Ｌ字状のＬ金具１６を用い、左右側に一対のＬ金具１６，１６を配置して、この左右のＬ金具１６，１６上に食器洗い機１５を載せて、食器洗い機１５を後付けできるように構成したものである。
【００２０】
Ｌ金具１６は、フレーム体７の下端側の奥行きフレーム１１にビス１３，１３，１３で固定するものであり、引出しレール１２を取り外した位置の奥行きフレーム１１に形成されている孔１１ａ，１１ａ，１１ａを利用して、ビス１３，１３を孔１１ａ，１１ａ，１１ａ内にねじ込むことで、Ｌ金具の略垂直な固定片１６ａを奥行きフレーム１１に固定することができ、Ｌ金具１６の固定片１６ａの下端には、略水平に延びる水平支持片１６ｂが一体形成されているため、この水平支持片１６ｂ上に食器洗い機１５を載せて、食器洗い機１５を後付けできるものである。
【００２１】
このように左右にL金具１６を固設しておき、この左右一対のＬ金具１６，１６上に食器洗い機１５を載せて、食器洗い機１５を既存のキッチンキャビネット１に後付けできるものである。
なお、Ｌ金具１６の底側には、けこみ１７ａを前面側に有する底板１７をキャビネット本体２に嵌め込んで、キッチンキャビネット１にすっきりとした状態で食器洗い機１５を後付けできるものである。この場合には、左右一対のＬ金具１６で食器洗い機１５を支持するために、図４のような置き台１４は不要である。
【００２２】
次に、図１１，図１２では、フロートタイプのキッチンキャビネット１に食器洗い機１５を後付けする場合を示す。
フロートタイプのキッチンキャビネット１は、キャビネット本体２の底側に、前側から奥まった位置にけこみ２ａが設けられており、けこみ２ａ上に底板２ｂが設けられたタイプであり、この底板２ｂ上に縦フレーム８，９と横フレーム１０と奥行きフレーム１１を枠組みしたフレーム体７が一体化されている。
このフロートタイプのキッチンキャビネット１では、底板２ｂがけこみ２ａの高さ分だけ浮き上がった位置に配置されているため、置き台１４を用いることなく、底板２ｂ上に食器洗い機１５を載せて、後付けで食器洗い機１５を取り付けできるものである。なお、底板２ｂに食器洗い機１５を固定して、食器洗い機１５を安定化させることができる。
【００２３】
本例においても、後付けした食器洗い機１５の給水ホース２４および排水ホース２１は、フレーム体７の空間内を引き回して、既存の水栓１８用の給水管２２およびシンク４用の排水管２０に設けたそれぞれの分岐管継手２０ａ、２２ａに接続して、容易に配管できるものである。
【符号の説明】
【００２４】
１  キッチンキャビネット
２  キャビネット本体
２ａ  けこみ
２ｂ  底板
３  カウンター
４  シンク
５，６  引出し
７  フレーム体
８，９  縦フレーム
１０  横フレーム
１１  奥行きフレーム
１１ａ  孔
１２  引出しレール
１３  ビス
１４  置き台
１４ａ  けこみ
１４ｂ  載置面板
１５  食器洗い機
１６  Ｌ金具
１６ａ  固定片
１６ｂ  水平支持片
１７  底板
１８  水栓
１９  ダスターポット
２０  排水管
２０ａ  分岐管継手
２１  排水ホース
２２  給水管
２２ａ  分岐管継手
２４  給水ホース
【図１】
2011135945.tif 000003
【図２】
2011135945.tif 000004
【図３】
2011135945.tif 000005
【図４】
2011135945.tif 000006
【図５】
2011135945.tif 000007
【図６】
2011135945.tif 000008
【図７】
2011135945.tif 000009
【図８】
2011135945.tif 000010
【図９】
2011135945.tif 000011
【図１０】
2011135945.tif 000012
【図１１】
2011135945.tif 000013
【図１２】
2011135945.tif 000014